(57)【要約】【課題】  異物の侵入を低減可能かつ、発光部の放熱が可能な照明装置を提供する。【解決手段】  発光部を有する可動部の外装である第１の外装部材には、本体部に対して回動可能に可動部を連結する連結部と対向する面に第１の孔部が設けられていて、連結部の外装である第２の外装部材には、可動部と対向する面に第２の孔部及び第３の孔部が設けられていて、温度取得手段で取得した発光部の温度が第１の閾値以上の場合、第２の孔部が可動部に覆われず第３の孔部が第１の孔部と重なる第１の位置となるように駆動手段により可動部を回動させ、温度取得手段で取得した発光部の温度が第２の閾値未満の場合、第２の孔部及び第３の孔部が可動部に覆われる第２の位置となるように、駆動手段により可動部を回動させる。【選択図】  図６
2020076906.tif 000002
【特許請求の範囲】
【請求項１】
本体部と、
発光部を有する可動部と、
前記本体部に対して回動可能に前記可動部を連結する連結部と、
前記発光部の温度を取得する温度取得手段と、
前記本体部に対して前記可動部を回動させる駆動手段と、
前記温度取得手段で取得した温度に基づいて前記駆動手段を制御する駆動制御手段と、を有し、
前記可動部の外装である第１の外装部材には、前記連結部と対向する面に第１の孔部が設けられていて、
前記連結部の外装である第２の外装部材には、前記可動部と対向する面に第２の孔部及び第３の孔部が設けられていて、
前記駆動制御手段は、前記温度取得手段で取得した温度が第１の閾値以上の場合、前記第２の孔部が前記可動部に覆われず前記第３の孔部が前記第１の孔部と重なる第１の位置となるように前記駆動手段により前記可動部を回動させ、前記温度取得手段で取得した温度が第２の閾値未満の場合、前記第２の孔部及び前記第３の孔部が前記可動部に覆われる第２の位置となるように、前記駆動手段により前記可動部を回動させることを特徴とする照明装置。
【請求項２】
前記発光部を制御する発光制御手段を有し、
前記発光制御手段は、前記可動部の位置が前記第１の位置のとき、前記発光部の発光禁止処理を行うことを特徴とする請求項１に記載の照明装置。
【請求項３】
前記制御手段は、前記温度取得手段で取得した温度が前記第２の閾値未満であって前記可動部の位置が前記駆動手段を用いずに前記第２の位置に変更された場合、前記可動部が前記第１の位置となるように前記駆動手段により前記可動部を回動させないことを特徴とする請求項１または２に記載の照明装置。
【請求項４】
前記発光制御手段は、前記温度取得手段で取得した温度が前記第２の閾値未満であって前記可動部の位置が前記駆動手段を用いずに前記第２の位置に変更された場合、前記発光部の発光制限を行うことを特徴とする請求項３に記載の照明装置。
【請求項５】
前記可動部の位置が前記第２の位置のとき、前記第１の孔部及び前記第３の孔部による開口と前記第２の孔部による開口とを介して前記第１の外装部材の内部の空気と外気とを換気するための流路が形成されることを特徴とする請求項１ないし４のいずれか１項に記載の照明装置。
【請求項６】
前記可動部が前記第１の位置となる回転角度は、前記可動部が前記第２の位置となる回転角度よりも大きいことを特徴とする請求項１ないし５のいずれか１項に記載の照明装置。
【請求項７】
前記本体部は、撮像装置に接続される接続部を有することを特徴とする請求項１ないし６のいずれか１項に記載の照明装置。
【請求項８】
前記連結部は、前記発光部を発光させるためのエネルギーを充電するメインコンデンサを有することを特徴とする請求項１ないし７のいずれか１項に記載の照明装置。
【請求項９】
前記発光部の光源は、キセノン管であることを特徴とする請求項１ないし８のいずれか１項に記載の照明装置。
【請求項１０】
前記発光部の光源は、ＬＥＤであることを特徴とする請求項１ないし８のいずれか１項に記載の照明装置。
【請求項１１】
本体部と、
発光部を有する可動部と、
前記本体部に対して回動可能に前記可動部を連結する連結部と、
前記発光部の温度を取得する温度取得手段と、
前記本体部に対して前記可動部を回動させる駆動手段と、
前記温度取得手段で取得した温度に基づいて前記駆動手段を制御する駆動制御手段と、を有し、
前記可動部の外装である第１の外装部材には、前記連結部と対向する面に第１の孔部が設けられていて、
前記連結部の外装である第２の外装部材には、前記可動部と対向する面に第２の孔部及び第３の孔部が設けられている、照明装置の制御方法であって、
前記温度取得手段で取得した温度が第１の閾値以上の場合、前記第２の孔部が前記可動部に覆われず前記第３の孔部が前記第１の孔部と重なる第１の位置となるように前記駆動手段により前記可動部を回動させ、前記温度取得手段で取得した温度が第２の閾値未満の場合、前記第２の孔部及び前記第３の孔部が前記可動部に覆われる第２の位置となるように、前記駆動手段により前記可動部を回動させることを特徴とする照明装置の制御方法。
【発明の詳細な説明】
【技術分野】
【０００１】
本発明は、照明装置の放熱制御に関するものである。
【背景技術】
【０００２】
一般に、デジタルカメラ等の撮像装置で用いられる照明装置であるストロボ装置では、光源にキセノン管やＬＥＤ等を使用する。これら光源は過度な連続発光により発熱し、光源自体の性能が劣化したり周囲の光学部品を変形させてしまうことで発光性能が変化してしまう懸念がある。
【０００３】
そうした懸念に対して、従来のストロボ装置では、光源を有する発光部の温度に応じて発光量や発光間隔に制限を加えたり一時的に発光禁止状態にするなどの、温度に応じた発光制限を行うものがある。しかしながら、発光制限状態が長時間続くとユーザーが所望のタイミングで撮影できないなど撮影機会の損失につながる恐れがある。
【０００４】
そこで、特許文献１では、カメラの内蔵ストロボ収納部と、内蔵ストロボ外装部の一部に放熱孔を設けて、内蔵ストロボが発光位置へ移動すると放熱孔が外気に露出し、光源を含む発光部の放熱が可能となる構成を提案している。このような構成により、発光部の温度上昇を抑制して発光制限しにくくすることができる。
【先行技術文献】
【特許文献】
【０００５】
【特許文献１】特開２００２−２８７２２１号公報
【発明の概要】
【発明が解決しようとする課題】
【０００６】
しかしながら、特許文献１に開示された従来技術では、放熱孔が通常撮影時に外気に露出してしまうことで、撮影時にストロボ装置内部に異物が侵入してしまう懸念がある。
【０００７】
そこで、本発明は、異物の侵入を低減可能かつ、発光部の放熱が可能な照明装置を提供することを目的とする。
【課題を解決するための手段】
【０００８】
上記目的を達成するために、本発明に係る照明装置は、本体部と、発光部を有する可動部と、前記本体部に対して回動可能に前記可動部を連結する連結部と、前記発光部の温度を取得する温度取得手段と、前記本体部に対して前記可動部を回動させる駆動手段と、前記温度取得手段で取得した温度に基づいて前記駆動手段を制御する駆動制御手段と、を有し、前記可動部の外装である第１の外装部材には、前記連結部と対向する面に第１の孔部が設けられていて、前記連結部の外装である第２の外装部材には、前記可動部と対向する面に第２の孔部及び第３の孔部が設けられていて、前記駆動制御手段は、前記温度取得手段で取得した温度が第１の閾値以上の場合、前記第２の孔部が前記可動部に覆われず前記第３の孔部が前記第１の孔部と重なる第１の位置となるように前記駆動手段により前記可動部を回動させ、前記温度取得手段で取得した温度が第２の閾値未満の場合、前記第２の孔部及び前記第３の孔部が前記可動部に覆われる第２の位置となるように、前記駆動手段により前記可動部を回動させることを特徴とする。
【発明の効果】
【０００９】
本発明によれば、異物の侵入を低減可能かつ、発光部の放熱が可能な照明装置を提供することができる。
【図面の簡単な説明】
【００１０】
【図１】本発明の実施形態に係る撮像システムの外観斜視図である。
【図２】本発明の実施形態に係るカメラ１００のブロック図である。
【図３】本発明の実施形態に係るストロボ装置２００のブロック図である。
【図４】本発明の実施形態に係るストロボ装置２００の、ストロボ本体２３０に対するストロボヘッド部２４０の可動角度範囲を示す図である。
【図５】本発明の実施形態に係るカメラ１００の撮影処理に関する動作を示すフローチャート図である。
【図６】本発明の実施形態に係る放熱に関わるストロボ装置２００の構成とストロボヘッド部２４０の回転角度との関係を示す図である。
【図７】本発明の実施形態に係る撮像システムの放熱制御のフローチャートを示す図である。
【発明を実施するための形態】
【００１１】
以下、本発明の好適な実施形態について添付図面を参照して詳細に説明する。なお、以下の実施形態は特許請求の範囲に係る本発明を限定するものでなく、また本実施形態で説明されている特徴の組み合わせの全てが本発明の課題の解決に必須のものとは限らない。
【００１２】
図１は、本発明の実施形態である撮像システムを構成するデジタルカメラ及びデジタルカメラに装着された照明装置の一例としてのストロボ装置を示す外観図であり、図１（ａ）は正面側（被写体側）から見た斜視図、図１（ｂ）は背面側から見た斜視図である。なお、本実施形態では、撮像装置としてデジタルカメラを例示するが、これに限定されない。以下では、カメラ１００の正面側を前、背面側を後ろ、背面側から見たときの左右をカメラ１００の左右として説明する。
【００１３】
本実施形態の撮像システムは、図１に示すように、カメラ１００と、カメラ１００に着脱可能に装着される外付けタイプのストロボ装置２００とを備える。カメラ１００の正面側には、交換レンズ３００が着脱可能に装着され、カメラ１００の上面部には、レリーズボタン１２２、及び外部ストロボ接続部１２０（アクセサリシュー）の他に不図示の各種操作ダイアル等が設けられている。また、カメラ１００の上面部には、ポップアップ式の内蔵ストロボ１１９（図２参照）が収納されている。カメラ１００の背面部には、ＬＣＤ等のカメラ画像表示部１０７やファインダ接眼部１２１等が設けられている。
【００１４】
ストロボ装置２００は、カメラ１００の外部ストロボ接続部１２０にカメラ接続部２０７を介して着脱可能に装着される本体部であるストロボ本体２３０を有する。ストロボ本体２３０には、発光部２０２を有するストロボヘッド部２４０がバウンス機構部２５０を介して回動可能に支持されている。すなわち、可動部であるストロボヘッド部２４０は、連結部であるバウンス機構部２５０を介して本体部であるストロボ本体２３０に対して回動可能に支持されている。ストロボ本体２３０の背面部には、ストロボ表示部２０９及び各種ストロボ操作部材２０８等が設けられている。
【００１５】
次に、本実施形態に係るカメラ１００の構成について図２を用いて説明する。図２は、カメラ１００を説明するブロック図である。図２において、カメラＭＰＵ１０１は、撮影シーケンスなどカメラ全体の制御を司る。また、カメラＭＰＵ１０１は、ユーザーが任意で設定する露出条件（Ｔｖ値、Ａｖ値、ＩＳＯ感度値）、撮影モード、及び測光部１１２より得られる輝度信号に基づいて、露出条件を設定する。
【００１６】
撮像素子１０３は、ＣＣＤセンサやＣＭＯＳセンサ等で構成され、交換レンズ３００の撮影光学系を通過して結像した被写体像を光電変換してアナログ画像データとしてＡ／Ｄ変換器１０４に出力する。タイミング信号発生回路１０２は、撮像素子１０３を駆動させるために必要なタイミング信号を発生する。Ａ／Ｄ変換器１０４は、撮像素子１０３から出力されたアナログ画像データをデジタル画像データに変換する。メモリコントローラ１０５は、メモリの読み書きやバッファメモリ１０６のリフレッシュ動作などを制御する。カメラ画像表示部１０７は、バッファメモリ１０６に蓄えられた画像データを表示する。記録媒体Ｉ／Ｆ１０８は、記録媒体１０９とのインタフェースである。記録媒体１０９は、メモリカードやハードディスクなどで構成される。
【００１７】
モータ制御部１１０は、露出動作時にカメラＭＰＵ１０１からの信号に従って不図示のモータを制御することにより、不図示のミラーのアップ／ダウン動作やシャッタのチャージ動作を行わせる。シャッタ制御部１１１は、カメラＭＰＵ１０１からの信号に従って、不図示のシャッタ先幕、シャッタ後幕の通電をカットして幕走行させ、露出動作を制御する。
【００１８】
測光部１１２は、画面内を複数のエリアに分割した測光センサ１１３からの出力を画面内の各エリアの輝度信号としてカメラＭＰＵ１０１に出力する。カメラＭＰＵ１０１は、この輝度信号を不図示のＡ／Ｄ変換器によりデジタル信号に変換し、シャッタ制御値（Ｔｖ値）、絞り制御値（Ａｖ値）、ゲイン設定値（ＩＳＯ感度値）等を演算する。また、測光部１１２は、内蔵ストロボ１１９、またはストロボ装置２００から被写体へ向けて予備発光したときの輝度信号をカメラＭＰＵ１０１に出力し、発光撮影時のメイン発光量も演算する。
【００１９】
レンズ制御部１１４は、交換レンズ３００とカメラ１００との間で不図示のレンズマウント接点を介して通信し、不図示のレンズ駆動モータ及びレンズ絞りモータを動作させ、レンズの焦点調節と絞りを制御する。焦点検出部１１５は、位相差検出方式等を用いて、ＡＦ（オートフォーカス）のための被写体に対するデフォーカス量を検出する。
【００２０】
カメラ姿勢検出部１１６は、カメラ１００の前後方向及び左右方向の傾きを検出する。レリーズスイッチ１（ＳＷ１）１１７ａは、レリーズボタン１２２の第１ストロークでオンし、カメラＭＰＵ１０１に対してＡＦ及び測光の開始を指示する。レリーズスイッチ２（ＳＷ２）１１７ｂは、レリーズボタン１２２の第２ストロークでオンし、カメラＭＰＵ１０１に対して露光動作（撮影）の開始を指示する。
【００２１】
ストロボ制御部１１８は、発光モード（閃光発光やフラット発光）の選択、発光パターン（プリ発光やメイン発光）の指示等の発光処理、及びオートバウンス駆動指示等を行う。カメラＭＰＵ１０１は、ストロボ制御部１１８を介して内蔵ストロボ１１９と通信し、ストロボ制御部１１８及び外部ストロボ接続部１２０を介してストロボ装置２００と通信する。
【００２２】
次に、本実施形態に係るストロボ装置２００の構成について図３を用いて説明する。図３は、ストロボ装置２００を説明するブロック図である。ストロボ本体２３０は、ストロボＭＰＵ２０１、ストロボ操作部材２０８、ストロボ表示部２０９、バウンス駆動制御部２０６、及びカメラ接続部２０７を有する。
【００２３】
ストロボＭＰＵ２０１は、ストロボ装置２００全体の制御を司る制御部であり、例えば閃光発光やフラット発光等の発光モードの選択及び制御、発光量の制御、発光制限、発光禁止、フラット発光の発光強度及び発光時間の制御等の発光制御を行う。また、ストロボＭＰＵ２０１は、発光照射角の制御やオートバウンス駆動制御時のストロボヘッド部２４０の角度決定などの駆動制御も行う。
【００２４】
さらに、ストロボＭＰＵ２０１は、閃光発光やフラット発光といった発光モード、及びストロボヘッド部２４０のズーム駆動部２０３に設定するズーム位置等の発光条件を設定する。また、ストロボＭＰＵ２０１は、カメラ１００から取得する露出条件や前記発光条件に基づいて最適撮影距離を算出する。さらに、ストロボＭＰＵ２０１は、ストロボヘッド部２４０の測距用測光部２０４により測定される反射面距離、及び被写体距離に基づいて発光距離を算出する。
【００２５】
バウンス駆動制御部２０６は、ストロボＭＰＵ２０１からの信号に従ってモータを制御することにより、ストロボヘッド部２４０をストロボ本体２３０に対して水平方向、及び垂直方向に回動させる。以下では、このようにストロボＭＰＵ２０１からの信号に従ってモータを制御してストロボヘッド部２４０を回動させることを、オートバウンス駆動と称する。
【００２６】
カメラ接続部２０７は、カメラ１００の外部ストロボ接続部１２０を介してカメラ１００との間で通信を行う。
【００２７】
バウンス機構部２５０は、ヘッド角度検出部２０５、及び発光部２０２を発光させるためのエネルギーを充電する不図示のメインコンデンサ等を有し、ストロボヘッド部２４０をストロボ本体２３０に対して、水平方向及び垂直方向にそれぞれ回動可能に保持する。これにより、発光部２０２からのストロボ光の照射方向を変えた撮影を行うことが可能になる。なお、本実施形態のストロボ装置２００は、ストロボヘッド部２４０をストロボ本体２３０に対して、水平方向及び垂直方向にそれぞれ回動可能としているが、垂直方向と水平方向のいずれか一方のみ回動可能な構成であってもよい。
【００２８】
ヘッド角度検出部２０５は、位相パターンを有する基板と接点ブラシを備える回転角度センサで構成され、ストロボ本体２３０に対するストロボヘッド部２４０の相対的な回転角度を検出し、ストロボＭＰＵ２０１に出力する。ヘッド角度検出部２０５は、図４に示すように、ストロボヘッド部２４０が被写体に向く正位置（ヘッド部角度０°）に対して、Ｚ軸周りの回転角度を水平方向ヘッド部角度ηとして検出する。また、ヘッド角度検出部２０５は、ストロボヘッド部２４０が被写体に向く正位置（ヘッド部角度０°）に対して、Ｘ軸周りの回転角度を垂直方向ヘッド部角度θとして検出する。なお、ヘッド角度検出部２０５はフォトインタラプタやフォトリフレクタといった光学的な検出センサなどを用いてもよい。
【００２９】
ここで、本実施形態では、図４に示すように、ストロボ本体２３０に対するストロボヘッド部２４０の可動角度範囲が設定されている。図４は、ストロボ本体２３０に対するストロボヘッド部２４０の可動角度範囲を示す図である。
【００３０】
水平方向ヘッド部角度ηは、ストロボヘッド部２４０がユーザー（カメラ１００の背面側）から見て左向きになる方向をη＝−９０°とし、右向きになる方向をη＝＋９０°とする。また、背面側に向く方向をη＝±１８０°（左向きに回転するときが−１８０°、右向きに回転するときが＋１８０°）とする。垂直方向ヘッド部角度θは、ストロボヘッド部２４０がユーザーから見て垂直方向の上向きになる方向をθ＝＋９０°とする。
【００３１】
そして、本実施形態では、ストロボ本体２３０に対するストロボヘッド部２４０の可動角度範囲は、水平方向ヘッド部角度η：−１８０°〜＋１８０°、垂直方向ヘッド部角度θ：０〜＋１５０°とする。なお、発光撮影のためのオートバウンス駆動における最大可動角度θＫ（図６参照）は＋１２０°とする。
【００３２】
ストロボヘッド部２４０は、測距用測光部２０４、発光部２０２、温度取得部２１０及びズーム駆動部２０３を有する。発光部２０２は、光源である不図示のキセノン管、反射傘、フレネルレンズ、及びストロボ発光回路を有し、ストロボ発光回路は、ストロボＭＰＵ２０１からの発光信号に従ってキセノン管にストロボ光を発光させる。なお、キセノン管は、過度な連続発光によって発熱するため、ストロボ装置２００は発光部２０２の放熱が可能な構成とすることが望ましい。本実施形態の放熱構成については後述する。本実施形態では光源をキセノン管としているが、ＬＥＤを使用してもよい。
【００３３】
温度取得部２１０は、本実施形態では温度計であり、発光部２０２の温度Ｔを測定する。ストロボＭＰＵ２０１は発光部２０２の温度Ｔに基づいて、ストロボ装置２００の放熱制御を行う。放熱制御については後述する。なお、本実施形態では温度取得部２１０は温度計の出力によって温度Ｔを取得しているが、発光量、連続発光回数、発光間隔、光源と反射傘の位置関係等に基づいて、温度Ｔを取得してもよい。なお、発光部２０２は、上記のように複数の光学部品を含んでいて、発光による発熱が光学部品に与える影響はそれぞれ異なるため、例えばフレネルレンズのような発熱が与える影響の大きい光学部品近傍に温度取得部２１０を配置することが好ましい。
【００３４】
ズーム駆動部２０３は、不図示の駆動用モータ、リードスクリュー等で構成される。ズーム駆動部２０３は、ストロボＭＰＵ２０１からの制御信号に基づいて、発光部２０２のキセノン管や反射傘を駆動させてストロボ光の照明範囲を変更する。これにより、カメラ１００で撮影する時の交換レンズ３００の焦点距離に合わせたストロボ光で被写体を照射することができる。なお、ズーム駆動部２０３による照明範囲の変更は、ストロボ装置２００から照射されるストロボ光の幅を広くしたり狭くしたりするものであって、照明範囲の中心となる照射光軸は略一定である。一方、ストロボ本体２３０に対するストロボヘッド部２４０を回動させるとストロボ光を照射光軸の向き（照射方向）が変化する。以上のように、照射範囲の変更と照射方向の変更とは異なる。
【００３５】
測距用測光部２０４は、発光部２０２から照射されたストロボ光の測距対象物からの反射光を測距用測光センサで受光して輝度信号としてストロボＭＰＵ２０１に出力する。ストロボＭＰＵ２０１は、この輝度信号を不図示のＡ／Ｄ変換器によりＡ／Ｄ変換を行い、その輝度信号に応じた距離を算出する。本実施形態におけるストロボ装置２００では、測距用測光部２０４によって反射物（例えば、天井）までの距離と被写体までの距離の測定を行い、ストロボＭＰＵ２０１はそれら距離情報に基づいて、被写体に適したストロボ発光の照射方向を決定する。そして、ストロボＭＰＵ２０１は所望の照射方向に対応した回転角度となるように、バウンス駆動制御部２０６によってストロボヘッド部２４０を駆動させ、ストロボ装置２００を本発光させる。以上が発光撮影のためのオートバウンス駆動であるが、被写体に適したストロボ発光の照射方向を決定する方法については公知の方法を用いればよく詳細な説明は省略する。
【００３６】
次に、図５を参照して、カメラ１００の撮影処理に関する動作について説明する。図５は、カメラ１００の撮影処理に関する動作を示すフローチャート図であり、図５の処理は、カメラ１００の電源がオンされるとカメラ１００の不図示のＲＯＭ等に記憶されたプログラムが不図示のＲＡＭに展開されてカメラＭＰＵ１０１により実行される。
【００３７】
ステップＳ５０１では、カメラＭＰＵ１０１は、レリーズスイッチ１（ＳＷ１）１１７ａがオンすると、ステップＳ５０２に進む。ステップＳ５０２では、カメラＭＰＵ１０１は、焦点検出部１１５による測距後、レンズ制御部１１４により交換レンズ３００のフォーカスレンズを合焦位置に移動させるオートフォーカス制御を行い、ステップＳ５０３に進む。
【００３８】
ステップＳ５０３では、カメラＭＰＵ１０１は、測光部１１２を用いて測光動作を行い、測光結果を取得する。例えば、測光部１１２の測光センサ１１３が６つに分割された領域のそれぞれで測光を行う場合、カメラＭＰＵ１０１は、取得した測光結果としての各領域の輝度値をＥＶｂ（ｉ）（ｉ＝０〜５）として、バッファメモリ１０６に記憶し、ステップＳ５０４に進む。
【００３９】
ステップＳ５０４では、カメラＭＰＵ１０１は、ステップＳ５０３で取得した測光結果と設定されている撮影モード等に基づいて公知のアルゴリズムによる露出演算を行って各種露出条件を設定して露出値（ＥＶ）を決定し、ステップＳ５０５に進む。ここでの各種露出条件は、シャッタ制御値（Ｔｖ値）、絞り制御値（Ａｖ値）、及びゲイン設定値（ＩＳＯ感度）である。
【００４０】
ステップＳ５０５では、カメラＭＰＵ１０１は、ストロボ制御部１１８を介してストロボ装置２００に対して発光撮影のためのオートバウンス駆動指示を送信し、ステップＳ５０６に進む。ステップＳ５０６では、カメラＭＰＵ１０１は、ストロボ制御部１１８を介してストロボ装置２００に対してステップＳ５０４で演算した各種露出条件（Ｔｖ値、Ａｖ値、ＩＳＯ感度値）を送信し、ステップＳ５０７に進む。発光撮影のためのオートバウンス駆動には、反射物までの距離と被写体までの距離の測定、ストロボ発光の照射方向の決定、照射方向に対応した回転角度にするストロボヘッド部２４０の駆動を含む。
【００４１】
ステップＳ５０７では、カメラＭＰＵ１０１は、ストロボ装置２００からのオートバウンス終了通知のチェックを行う。具体的には、カメラＭＰＵ１０１は、ストロボ装置２００からのバウンス駆動終了通知を取得していれば、オートバウンス終了としてステップＳ５０８に進み、取得してなければ、オートバウンス終了通知のチェックを継続する。
【００４２】
ステップＳ５０８では、カメラＭＰＵ１０１は、レリーズスイッチ２（ＳＷ２）１１７ｂがオンされると、ステップＳ５１０に進み、オフの場合は、ステップＳ５０９に進む。ステップＳ５０９では、カメラＭＰＵ１０１は、レリーズスイッチ１（ＳＷ１）１１７ａが継続してオン状態かを判断し、オンの場合は、ステップＳ５０８に戻り、オフの場合は、ステップＳ５０１に戻る。
【００４３】
ステップＳ５１０では、カメラＭＰＵ１０１は、ストロボ制御部１１８を介してストロボ装置２００に対して所定光量での予備発光を指示し、ストロボ装置２００の発光部２０２からストロボ光を予備発光させる。そして、カメラＭＰＵ１０１は、予備発光で取得した輝度信号を基に発光撮影時のストロボ本発光量を算出し、ステップＳ５１１に進む。
【００４４】
ステップＳ５１１では、カメラＭＰＵ１０１は、モータ制御部１１０によりミラーのアップ動作を行い、ステップＳ５１２に進む。ステップＳ５１２では、カメラＭＰＵ１０１は、撮像素子１０３での電荷の蓄積を開始し、ステップＳ５１３に進む。ステップＳ５１３では、カメラＭＰＵ１０１は、シャッタ制御部１１１によりシャッタを走行させて撮像素子１０３の露光を開始し、ステップＳ５１４に進む。
【００４５】
ステップＳ５１４では、カメラＭＰＵ１０１は、ストロボ制御部１１８を介してステップＳ５１０で算出したストロボ本発光量でストロボ装置２００を本発光させる。そして、カメラＭＰＵ１０１は、ストロボ装置２００の本発光に同期して各種露出条件（Ａｖ値、Ｔｖ値、ＩＳＯ感度値）で露出動作を行い、ステップＳ５１５に進む。
【００４６】
ステップＳ５１５では、カメラＭＰＵ１０１は、シャッタ制御部１１１によりシャッタを閉じ、ステップＳ５１６に進む。ステップＳ５１６では、カメラＭＰＵ１０１は、撮像素子１０３での電荷の蓄積を終了し、ステップＳ５１７に進む。ステップＳ５１７で、カメラＭＰＵ１０１は、モータ制御部１１０によりミラーダウン動作を行い、ステップＳ５１８に進む。
【００４７】
ステップＳ５１８では、カメラＭＰＵ１０１は、撮像素子１０３から画像信号を読み出し、Ａ／Ｄ変換器１０４で、Ａ／Ｄ変換処理した画像データをバッファメモリ１０６に一時記録する。そして、カメラＭＰＵ１０１は、撮像素子１０３から全ての画像信号の読み出しを行うと、画像信号に対して所定の現像処理を施して画像データを作成し、ステップＳ５１９に進む。
【００４８】
ステップＳ５１９では、カメラＭＰＵ１０１は、ステップＳ５１８で作成した画像データを記録媒体Ｉ／Ｆ１０８を介して記録媒体１０９に画像ファイルとして記録して一連の撮影処理を終了する。
【００４９】
次に、ストロボ装置２００の放熱構成と制御について説明する。まずは、放熱に関わるストロボ装置２００の構成について、図６を用いて説明する。図６は、放熱に関わるストロボ装置２００の構成とストロボヘッド部２４０の回転角度との関係を示す図である。図６（ａ）は、垂直方向ヘッド部角度θが０°の時のストロボ装置２００を背面から見た図、図６（ｂ）は図６（ａ）の断面図であり、ストロボ装置２００の放熱に関わる部分がわかりやすいように簡略化している。図６（ｃ）は、垂直方向ヘッド部角度θが、発光撮影のためのオートバウンス駆動における最大可動角度θＫ（１２０°）となる時の断面図である。図６（ｄ）は、垂直方向ヘッド部角度θが、放熱姿勢におけるヘッド部角度θＬ（１５０°）になる時の断面図である。放熱姿勢については後述する。
【００５０】
ストロボヘッド部２４０の外装部材２４１（第１の外装部材）は、樹脂等によって成形される。第一放熱孔２４２は、外装部材２４１におけるバウンス機構部２５０と対向する面に設けられている孔（第１の孔部）である。第一放熱孔端２４２ａは、垂直方向ヘッド部角度θが０°となる位置を基準とした時の、角度が小さい側の端であり、第一放熱孔端２４２ｂは角度が大きい側の端である。以後、角度の大きい／小さいについては垂直方向ヘッド部角度θが０°となる位置を基準として説明する。第一遮蔽端２４３は、外装部材２４１のバウンス機構部２５０と対向する面における角度が小さい側の端であり、第二遮蔽端２４４はバウンス機構部２５０と対向する面における角度が大きい側の端である。第一の空間２４５は、外装部材２４１に覆われた空間であり、第一の空間２４５に配置される発光部２０２の発熱によって、温度上昇が生じる空間である。
【００５１】
バウンス機構部２５０の外装部材２５１（第２の外装部材）は、樹脂等によって成形される。第二放熱孔２５２と第三放熱孔２５３は、外装部材２５１におけるストロボヘッド部２４０と対向する面に設けられている孔部であり、第二放熱孔２５２（第２の孔部）は、第三放熱孔２５３（第３の孔部）よりも小さい角度側に配置される。第二放熱孔端２５２ａは角度が小さい側の端部であり、第二放熱孔端２５２ｂは角度が大きい側の端部である。第三放熱孔端２５３ａは角度が小さい側の端部であり、第三放熱孔端２５３ｂは角度が大きい側の端部である。第二の空間２５４は、外装部材２５１に覆われた空間である。
【００５２】
次に、各放熱孔と各遮蔽端の位置関係について図６（ｂ）を用いて説明する。図６（ｂ）のＣ〜Ｊは、垂直方向ヘッド部角度θが０°の位置における、ストロボヘッド部２４０の回転中心を頂点とした２点間の垂直方向における角度を示している。Ｃは、第一遮蔽端２４３から第三放熱孔端２５３ａまでの角度であり、本実施形態では、１６５°とする。Ｄは、垂直方向ヘッド部角度θが０°であるときのストロボ光の照射光軸から第二遮蔽端２４４までの角度であり、本実施形態では１１０°とする。Ｅは、垂直方向ヘッド部角度θが０°であるときのストロボ光の照射光軸から第三放熱孔端２５３ｂまでの角度であり、本実施形態では１０５°とする。Ｆは、第一遮蔽端２４３から第二放熱孔端２５２ａまでの角度であり、本実施形態では１４０°とする。Ｇは、第一遮蔽端２４３から第二放熱孔端２５２ｂまでの角度であり、本実施形態では１４５°とする。Ｈは、第一放熱孔端２４２ａから第三放熱孔端２５３ａまでの角度であり、本実施形態では１５０°とする。Ｉは、第三放熱孔２５３の開口幅を示す角度であり、本実施形態では５°とする。Ｊは、第一放熱孔２４２の開口幅を示す角度であり、本実施形態では１０°とする。
【００５３】
θＫは、垂直方向ヘッド部角度θが０°であるときのストロボ光の照射光軸から垂直方向ヘッド部角度θが発光撮影のためのオートバウンス駆動における最大可動角度であるときのストロボ光の照射光軸までの角度であり、本実施形態では、１２０°とする。すなわち、ストロボヘッド部２４０は、発光撮影のためのオートバウンス駆動において、垂直方向に１２０°回動可能とする。θＬは、垂直方向ヘッド部角度θが０°であるときのストロボ光の照射光軸から垂直方向ヘッド部角度θが放熱姿勢であるときのストロボ光の照射光軸までの角度であり、本実施形態では１５０°とする。すなわち、ストロボヘッド部２４０は、放熱姿勢となるために垂直方向に１５０°回動可能とする。なお、垂直方向ヘッド部角度θが放熱姿勢であるときのストロボ光の照射光軸までの角度と記したが、放熱姿勢においてはストロボ光の照射は禁止されるため、放熱姿勢であるときのストロボ光の照射光軸は仮想の光軸である。
【００５４】
次に、上述した各角度の関係について説明する。
【００５５】
本実施形態では、Ｃ（１６５°）がθＫ（１２０°）よりも大きく、かつＤ（１１０°）がＥ（１０５°）よりも大きい角度となるように第二遮蔽部２４４と第三放熱孔２５３が設けられ、θＫの角度が設定される。そうすることで、第三放熱孔２５３は常に外装部材２４１に覆われ外部に露出しないため、第二の空間２５４に外部から異物が侵入することを防ぐことができる。
【００５６】
さらに、Ｆ（１４０°）がθＫ（１２０°）よりも大きい角度となるように、第一遮蔽部２４３と第二放熱孔端２５２ａが設けられ、θＫの角度が設定される。そうすることで、図６（ｃ）に示すように、オートバウンス駆動における最大可動角度θＫにおいても、第二放熱孔２５２は外装部材２４１に覆われ外部に露出しないため、第二の空間２５４に外部から異物が侵入することを防ぐことができる。
【００５７】
一方、θＬ（１５０°）がＧ（１４５°）よりも大きい角度となるように、第一遮蔽部２４３と第二放熱孔端２５２ｂが設けられ、θＬの角度が設定される。そうすることで、図６（ｄ）に示すように、放熱姿勢時に第二放熱孔２５２から外装部材２４１が待避するため、第二の空間２５４が外部に露出することになる。また、Ｈ（１５０°）とθＬ（１５０°）を同等の角度かつ、Ｊ（１０°）はＩ（５°）と同等以上の角度となるように、第一放熱孔２４２と第三放熱孔２５３が設けられる。そうすることで、図６（ｄ）に示すように、放熱姿勢時に第三放熱孔２５３と第一放熱孔２４２が重なることで、第一の空間２４５と第二の空間２５４が接続される。つまり、第一放熱孔２４２と及び第三放熱孔２５３による開口と第二放熱孔２５２による開口とを介して第一の空間２４５の内部の空気と外気とを換気する流路が形成されるため、発光部２０２及び第一の空間２４５の放熱が可能となる。なお、放熱姿勢とは、温度取得部２１０によって取得された発光部２０２の温度Ｔが、あらかじめ設定されている閾値Ｘ以上であるとストロボＭＰＵ２０１によって判定された場合に、発光部２０２及び第一の空間２４５の熱を放熱するためにとる姿勢である。放熱姿勢へと推移する制御については後述する。
【００５８】
上述したように、オートバウンス撮影等の通常撮影時には、ストロボ装置２００内部を遮蔽し、放熱姿勢時のみストロボ装置２００内部を外部に露出させることで、外部からの異物の侵入を低減可能かつ、発光部２０２の放熱が可能な構成を提供することができる。なお、本実施形態では、Ｃ〜Ｊ、θＫ、θＬの角度を上述した値としているが、上述した角度関係を満たせていれば、本実施形態と異なる値でもよい。なお、放熱姿勢時に第二の空間２５４が外部に露出しても外部からの異物の侵入を低減可能なように、第二放熱孔２５２に通気可能な保護フィルタなどを設けてもよい。ただし、異物侵入を低減させることよりも放熱を優先するため、保護フィルタによる異物侵入の低減効果は外装部材２４１による異物侵入の低減効果よりも低い。
【００５９】
次に、図７を参照して放熱制御の動作について説明する。図７は、カメラＭＰＵ１０１及びストロボＭＰＵ２０１による放熱制御のフローチャートを示す図である。図７の処理は、ストロボ装置２００の電源がオンされるとストロボ装置２００の不図示のＲＯＭ等に記憶されたプログラムが不図示のＲＡＭに展開されてストロボＭＰＵ２０１により実行される。また、一部の処理は、カメラ１００の不図示のＲＯＭ等に記憶されたプログラムが不図示のＲＡＭに展開されてカメラＭＰＵ１０１により実行される。
【００６０】
ステップＳ７０１では、ストロボＭＰＵ２０１は温度取得部２１０によって取得された温度Ｔが、あらかじめ設定された閾値Ｘ以上か、閾値Ｘ未満かを判定する。温度Ｔが閾値Ｘ未満の場合には、Ｓ７０２に移行し、閾値Ｘ以上の場合にはＳ７０４に移行する。
【００６１】
ステップＳ７０２では、カメラＭＰＵ１０１は、レリーズスイッチ１（ＳＷ１）１１７ａがオンされたか否かを判定する。ＳＷ１オンされていない場合には、ステップＳ７０１に進む。ＳＷ１がオンされた場合には、先述した撮影処理のステップＳ５０１からステップＳ５１９までを実行し、ステップＳ７０３に移行する。
【００６２】
ステップＳ７０３では、ストロボＭＰＵ２０１は、ストロボ操作部材２０８によって電源オフ入力がされたか否かを判定する。オフされた場合には、ストロボ装置２００の電源をオフにし、フローを終了する。オフ入力がされていない場合には、ステップＳ７０１に移行する。
【００６３】
ステップＳ７０４では、ストロボＭＰＵ２０１は、図６（ｄ）で示すように垂直方向ヘッド部角度θがθＬ（１５０°）となるように、バウンス駆動制御部２０６に指示を出し、ストロボ装置２００を放熱姿勢へと変更させ、ステップＳ７０５に移行する。
【００６４】
ステップＳ７０５では、ストロボＭＰＵ２０１は、ストロボ装置２００を発光禁止とし、ステップＳ７０６に移行する。なお、ステップＳ７０５の発光禁止処理では、ストロボＭＰＵ２０１がカメラ１００あるいはユーザーから発光指示を受け付けても発光させいないように制御すればよい。その他、ストロボＭＰＵ２０１が発光禁止状態であることを示す情報をカメラ１００あるいはユーザーに報知してもよい。
【００６５】
ステップＳ７０６では、ストロボＭＰＵ２０１はストロボ操作部材２０８によって電源オフ入力がされたか否かを判定する。オフされた場合には、ステップＳ７０９に移行し、オフ入力がされていない場合には、ステップＳ７０７に移行する。
【００６６】
ステップＳ７０７では、ストロボＭＰＵ２０１は温度取得部２１０によって取得された温度Ｔが、あらかじめ設定された閾値Ｘ以上か、閾値Ｘ未満かを判定する。温度Ｔが閾値Ｘ未満の場合には、ステップＳ７０８に移行し、閾値Ｘ以上の場合にはステップＳ７０５に移行する。
【００６７】
ステップＳ７０８では、ストロボＭＰＵ２０１は、垂直方向ヘッド部角度θが０°となるように、バウンス駆動制御部２０６に指示を出し、ストロボ装置２００を撮影姿勢へと変更させ、ステップＳ７０２に移行する。本実施形態では、垂直方向ヘッド部角度θが０°となるように姿勢変更しているが、オートバウンス駆動における最大可動角度θＫ（１２０°）以内の姿勢であれば、垂直方向ヘッド部角度θが０°以外の角度であってもよい。
【００６８】
ステップＳ７０９では、ストロボＭＰＵ２０１は、垂直方向ヘッド部角度θが０°となるように、バウンス駆動制御部２０６に指示を出し、ストロボ装置２００を撮影姿勢へと推移させた後、ストロボ装置２００の電源をオフにし、フローを終了する。本実施形態では、垂直方向ヘッド部角度θが０°となるように姿勢変更しているが、オートバウンス駆動における最大可動角度θＫ（１２０°）以内の姿勢であれば、垂直方向ヘッド部角度θが０°以外の角度であってもよい。
【００６９】
なお、放熱姿勢時に、ユーザーの手動操作で垂直方向ヘッド部角度の変更がなされた後に、上述したフローに戻り、ステップＳ７０１の判定で再度放熱姿勢へと変更してしまうとユーザーが煩わしさを感じる恐れがある。そのため、ユーザーによって手動で垂直方向ヘッド部角度が変更された場合には、次にストロボ操作部材２０８によって電源オフ入力がされるまで、上述したフローを実施しないこととする。ただし、その場合に、発光部２０２の温度上昇が懸念されるため、ストロボＭＰＵ２０１が発光部２０２の温度上昇を検出した場合には、発光量や発光間隔を制限する発光制限を行うこととする。ストロボ装置２００の発光制限については公知の技術のため説明を省略する。
【００７０】
また、図７に示すフローチャートでは、撮影姿勢から放熱姿勢へ変更する温度閾値（第１の閾値）と放熱姿勢から撮影姿勢へ変更する温度閾値（第２の温度閾値）を同じ値にしているが、別の値を設定してもよい。第１の閾値よりも第２の閾値を小さい値に設定することで、温度が閾値未満になり放熱姿勢から撮影姿勢へ変更したのちわずかな温度上昇で温度が閾値以上となりすぐに放熱姿勢へ変更する、いわゆるハンチングを抑制できる。
【００７１】
以上、説明したように、本実施形態では、ストロボヘッド部２４０、バウンス機構部２５０に所定の位置関係で放熱孔と遮蔽部を設け、発光部２０２の温度に基づいてストロボ装置２００を放熱姿勢に変更する。そうすることで、オートバウンス撮影等の通常撮影時には、ストロボ装置２００内部を外部に露出することなく、放熱姿勢時のみストロボ装置２００内部を外部に露出させることが可能となる。その結果、外部からの異物の侵入を防止可能かつ、発光部２０２の放熱が可能な構成を提供することができる。また、放熱専用の部材や機構も必要ないため、機器を複雑化することなく放熱可能である。
【００７２】
以上、本発明の好ましい実施形態について説明したが、本発明はこれらの実施形態に限定されず、その要旨の範囲内で種々の変形及び変更が可能である。
【符号の説明】
【００７３】
２００  ストロボ装置
２０１  ストロボＭＰＵ
２０２  発光部
２０６  バウンス駆動制御部
２１０  温度取得部
２３０  ストロボ本体
２４０  ストロボヘッド部
２４１  外装部材
２４２  第一放熱孔
２４３  第一遮蔽部
２４４  第二遮蔽部
２５０  バウンス機構部
２５１  外装部材
２５２  第二放熱孔
２５３  第三放熱孔
【図１】
2020076906.tif 000003
【図２】
2020076906.tif 000004
【図３】
2020076906.tif 000005
【図４】
2020076906.tif 000006
【図５】
2020076906.tif 000007
【図６】
2020076906.tif 000008
【図７】
2020076906.tif 000009